(57)【特許請求の範囲】
【請求項１】
物品を載置可能な上面を有した天板と、
前記天板を支持し、床面に沿った方向に間隔を空けて設けられた第一接地部および第二接地部を有した支持脚と、
前記第一接地部に設けられた第一キャスター部材と、
前記第二接地部に設けられた第二キャスター部材と、
前記第一接地部に固定され、前記床面に接地する固定接地部材と、
前記第二接地部に設けられ、前記床面に接地可能な可動接地部材と、
前記可動接地部材を前記床面に接地させた状態と離間させた状態とに進退させる駆動機構と、を備え、
前記可動接地部材を前記床面から離間させるように前記第二キャスター部材よりも上方に退避させることによって、前記第一接地部に対して前記第二接地部が低くなるように傾動し、前記第一キャスター部材および前記第二キャスター部材が前記床面に接地するとともに、前記固定接地部材が前記床面から上方に離間することを特徴とする天板付什器。
【請求項２】
前記固定接地部材と前記可動接地部材とを前記床面に接地させた状態で、前記第二キャスター部材と前記床面との隙間が、前記第一キャスター部材と前記床面との隙間よりも大きいことを特徴とする請求項１に記載の天板付什器。
【請求項３】
前記可動接地部材は、一端部が水平軸回りに支持されたスイング部材に設けられ、
前記固定接地部材と前記可動接地部材とを前記床面に接地させた状態で、前記固定接地部材の接地面と前記可動接地部材の接地面とがそれぞれ前記床面に平行となるよう形成されていることを特徴とする請求項１または２に記載の天板付什器。
【請求項４】
前記固定接地部材および前記可動接地部材は、前記第一キャスター部材および前記第二キャスター部材に対し、前記第一接地部と前記第二接地部とが互いに離間する方向において外方に配置されていることを特徴とする請求項１から３のいずれか一項に記載の天板付什器。
【請求項５】
床面に沿って延びるよう設けられたベース部をさらに備え、
前記第一接地部が前記ベース部の一端側に設けられ、前記第二接地部が前記ベース部の他端側に設けられていることを特徴とする請求項１から４のいずれか一項に記載の天板付什器。
【発明の詳細な説明】
【技術分野】
【０００１】
本発明は、天板付什器に関する。
【背景技術】
【０００２】
オフィスや、公共施設、教育施設、商業施設、病院等の各種施設において、会議や打合せをはじめとする様々な用途で、いわゆるテーブル装置等の天板付什器が広く用いられている。このような天板付什器には、使用者の要望に応じて、その配置を容易に変更できるようにキャスターを備えているものがある。
【０００３】
このような天板付什器としては、使用している状態においては什器の移動を拘束し、什器の配置を変更したいときには拘束を解除してキャスターによる移動を許容する移動拘束機構が設けられていることが望ましい。
【０００４】
特許文献１には、移動拘束機構として、天板の回動に連動して昇降する昇降ロッドと、床面に接地することによってキャスターによるテーブル装置の移動を拘束（制動）し、脚羽根等の脚部材の両端部に設けられた接地体と、昇降ロッドの昇降によって接地体を上下動させ、脚部材に沿って延びるリンクアームと、を備えた構成が開示されている。
【０００５】
特許文献２には、テーブル装置の脚の前後にキャスターを備えるとともに、一方のキャスターに、下方に向かって突出するストッパを設けた構成が開示されている。
【先行技術文献】
【特許文献】
【０００６】
【特許文献１】特許第２７２１５８８号公報
【特許文献２】特許第２８５６３５１号公報
【発明の概要】
【発明が解決しようとする課題】
【０００７】
特許文献１に開示された構成においては、脚部材の両端部に設けられた接地体を上下動させるためのリンクアームは、複数のリンク部材が組み付けられて構成されている。したがって、構造が複雑であり、部品点数が多くなり、これにともない組立工数も増加するという問題点がある。
また、接地体を接地させてテーブル装置の移動を拘束するには、接地体を接地させた後、キャスターが床面から上方に離間させるために、テーブル装置の全体を持ち上げる必要があり、持ち上げる操作に大きな力を必要とする。
【０００８】
また、特許文献２に開示された構成においては、接地体を接地させた後、一方のキャスターを床面から上方に離間させる際には、他方のキャスターが床面に接地したままであるため、操作に必要な力は小さくて済む。
しかし、接地体は一方のキャスターのみに設けられ、他方のキャスターは床面に接地しており制動力が得られない。
【０００９】
そこでなされた本発明の目的は、使用状態においては天板付什器が移動しないように小さな操作力で大きな制動力を発揮しつつ、移動させる際には移動の拘束を容易に解除するとともに、部品点数を抑えることのできる天板付什器を提供することである。
【課題を解決するための手段】
【００１０】
本発明は、上記課題を解決するため、以下の手段を採用する。
この発明に係る天板付什器は、物品を載置可能な上面を有した天板と、前記天板を支持し、床面に沿った方向に間隔を空けて設けられた第一接地部および第二接地部を有した支持脚と、前記第一接地部に設けられた第一キャスター部材と、前記第二接地部に設けられた第二キャスター部材と、前記第一接地部に固定され、前記床面に接地する固定接地部材と、前記第二接地部に設けられ、前記床面に接地可能な可動接地部材と、前記可動接地部材を前記床面に接地させた状態と離間させた状態とに進退させる駆動機構と、を備え、前記可動接地部材を前記床面から離間させるように前記第二キャスター部材よりも上方に退避させることによって、前記第一接地部に対して前記第二接地部が低くなるように傾動し、前記第一キャスター部材および前記第二キャスター部材が前記床面に接地するとともに、前記固定接地部材が前記床面から上方に離間することを特徴とする。
【００１１】
このような構成によれば、利用者や天板付什器を使用する使用状態では、可動接地部材を第二キャスター部材より下方に突出させて床面に接地させる。これにより、固定接地部材と可動接地部材とが床面に接地し、第一キャスター部材と第二キャスター部材とが床面から上方に離間する。これにより、大きな制動力を得ることができる。
この状態から、駆動機構を作動させ、可動接地部材を第二キャスター部材よりも上方に退避させると、第二キャスター部材が床面に接地するとともに、第一接地部に対して第二接地部が低くなるように傾動することによって、固定接地部材が床面から上方に離間して第一キャスター部材が床面に接地する。これにより、第一キャスター部材と第二キャスター部材とが床面に接地し、天板付什器が床面上で走行移動自在となる。
可動接地部材を作動させるときには、固定接地部材が接地したままであり、固定接地部材に天板付什器の荷重を支持させつつ、可動接地部材を上方に退避させればよいため、操作に要する力は少なくて済む。
さらに、このような構成によれば、駆動機構を多数のリンク材で構成する場合に比較し、部品点数が少なくて済む。また、上記のように大きな制動力を有するため、２個の接地部材のうち一方の接地部材を可動する構成とすればよい。よって、駆動機構を１個設ければよいため、部品点数をさらに抑えることができる。
【００１２】
また、この発明に係る天板付什器は、上記天板付什器において、前記固定接地部材と前記可動接地部材とを前記床面に接地させた状態で、前記第二キャスター部材と前記床面との隙間が、前記第一キャスター部材と前記床面との隙間よりも大きくてもよい。
このような構成によれば、可動接地部材を第二キャスター部材よりも上方に退避させ、第二キャスター部材を床面に接地させたときに、確実に、固定接地部材を床面から上方に離間させて第一キャスター部材を床面に接地させることができる。
【００１３】
また、この発明に係る天板付什器は、上記天板付什器において、前記可動接地部材は、一端部が水平軸回りに支持されたスイング部材に設けられ、前記固定接地部材と前記可動接地部材とを前記床面に接地させた状態で、前記固定接地部材の接地面と前記可動接地部材の接地面とがそれぞれ前記床面に平行となるよう形成されているようにしてもよい。
このような構成によれば、固定接地部材と可動接地部材とを床面に接地させた天板付什器の使用状態において、固定接地部材の接地面と可動接地部材の接地面とが床面に対して面接触し、大きな制動力を得ることができる。
【００１４】
また、この発明に係る天板付什器は、上記天板付什器において、前記固定接地部材および前記可動接地部材は、前記第一キャスター部材および前記第二キャスター部材に対し、前記第一接地部と前記第二接地部とが互いに離間する方向において外方に配置されているようにしてもよい。
このような構成によれば、固定接地部材と可動接地部材とが接地した状態における安定度を高めることができる。
【００１５】
また、この発明に係る天板付什器は、上記天板付什器において、床面に沿って延びるよう設けられたベース部をさらに備え、前記第一接地部が前記ベース部の一端側に設けられ、前記第二接地部が前記ベース部の他端側に設けられているようにしてもよい。
このような構成によれば、第一接地部と第二接地部とが共通のベース部に設けられるので、設置角度等に誤差が生じにくい。
【発明の効果】
【００１７】
この発明に係る天板付什器によれば、使用状態においては天板付什器が移動しないように小さな操作力で大きな制動力を発揮しつつ、移動させる際には移動の拘束を容易に解除するとともに、部品点数を抑えることが可能となる。
【図面の簡単な説明】
【００１８】
【図１】この発明の一実施形態に係る天板付什器（デスク装置）の全体構成を示す斜視図である。
【図２】上記デスク装置の側断面図である。
【図３】上記デスク装置の上部の構成を示す側断面図である。
【図４】上記デスク装置の支持脚の後端部の構成を示す側断面図である。
【図５】上記支持脚の後端部に設けられた後部ストッパ部材の駆動機構の構成を示す斜視図である。
【図６】上記駆動機構に形成されたガイド溝と連係部材に設けられたスライド軸との位置関係を示す図である。
【図７】支持脚の上部に設けられたケーブルガイドの斜視図である。
【図８】支持脚の上方にもうけられたケーブル支持部材を斜め下方から見た図である。
【図９】第一ケーブル操作部材の構成を示す平面図である。
【図１０】使用状態において前部ストッパ部材と後部ストッパ部材とが接地した状態を示す模式図である。
【図１１】後部ストッパ部材を床面から離間させ、前後のキャスターが接地した状態を示す模式図である。
【発明を実施するための形態】
【００１９】
以下、添付図面を参照して、本発明に係る天板付什器の実施形態を説明する。しかし、本発明はこの実施形態のみに限定されるものではない。
【００２０】
図１は、この発明の一実施形態に係る天板付什器（デスク装置）の全体構成を示す斜視図である。図２は、上記デスク装置の側断面図である。図３は、上記デスク装置の上部の構成を示す側断面図である。図４は、上記デスク装置の支持脚の後端部の構成を示す側断面図である。図５は、上記支持脚の後端部に設けられた後部ストッパ部材の駆動機構の構成を示す斜視図である。
なお、以下の説明において、テーブル装置１０が設置される床面Ｆ側を「下方」、その反対方向を「上方」、ユーザがテーブル装置１０に対向する側を「前方」、その反対側を「後方」、水平面内で前方と後方とを結ぶ方向に対して直交する方向を「幅方向」と適宜称する。
【００２１】
図１に示すように、テーブル装置（天板付什器）１０は、床面Ｆ上に設置され、上下方向に延びる二本一対の支持脚２０と、物品が載置可能な上面３０ｆを有し、支持脚２０の上端部に支持された例えば平面視矩形状の天板３０と、テーブル装置１０の背面側において天板３０の下方に位置し、支持脚２０の間の空間を閉塞する幕板１５と、を備えている。
【００２２】
支持脚２０は、天板３０の幅方向両端部にそれぞれ設けられている。
なお、本発明においては、支持脚２０を二本一対に限定するものではなく、天板３０のサイズや形状によっては、一本のみ、あるいは三本以上の支持脚２０を備える構成とすることもできる。
【００２３】
各支持脚２０は、床面Ｆ上に設置されるベース部２１と、ベース部２１から上方に延び、天板３０を下方から安定して支持可能な中空柱状の支柱部２３とを備えている。本実施形態において、支柱部２３は、ベース部２１の後端部２１ｒから斜め前方に向けて延出するよう立設されている。
また、一対の支持脚２０、２０の支柱部２３、２３どうしは、天板３０の幅方向に延びる連結杆２３ｊによって一体的に連結されている。
【００２４】
図２、図３に示すように、それぞれの支持脚２０の支柱部２３の上端部には、板状のサポートプレート３１が設けられている。サポートプレート３１には、天板３０の幅方向に延びるシャフト３２の両端部が、シャフト３２に対して回動可能に支持されている。
天板３０の下面には、幅方向両側に、前後方向に延びる支持ブラケット３３がそれぞれ固定されている。支持ブラケット３３には、サポートプレート３１が装着されている。これにより、天板３０は、支持ブラケット３３とともに、シャフト３２回りに回動可能とされている。
【００２５】
図１に示すように、支持ブラケット３３において、天板３０の幅方向外方を向く側面３３ａには、ロックレバー３４が設けられている。ロックレバー３４は、支持ブラケット３３に回転自在に支持された回転軸３４ｓ（図３参照）を中心に回動可能に設けられている。図３に示すように、回転軸３４ｓには、板状のロックプレート３４ｔが一体に設けられている。このロックプレート３４ｔには、その外周部の所定位置に係合凹部３４ｕが形成されている。
サポートプレート３１には、シャフト３２を中心とした同心円上において周方向に間隔を空けた２カ所にロックピン３３ｐ、３３ｑが設けられている。
ロックレバー３４のロックプレート３４ｔは、係合凹部３４ｕにロックピン３３ｐまたは３３ｑを係合させることで、天板３０を、上面３０ｆが水平面内に位置する使用状態（図２、図３において実線で示す状態）と、前端部３０ａ側が上方に跳ね上げられた不使用状態（図２、図３において二点鎖線で示す状態）とにそれぞれロックすることができる。
【００２６】
図２に示すように、天板３０の後端部３０ｂには、天板３０の下面から下方に向かって斜め後方に延出するサポートアーム３５が設けられている。サポートアーム３５は、幕板１５の上端部に設けられたジョイント部材１６に、前後方向を含む鉛直面内で回動自在に連結されている。
幕板１５の下端部には、ジョイント部材１７を介し、リンクプレート１８が前後方向を含む鉛直面内で回動自在に連結されている。支柱部２３には、支柱部２３が延びる方向に連続するスリット（図示無し）が形成されている。リンクプレート１８の下端部は、スリット（図示無し）に沿ってスライド移動自在に係止されている。
幕板１５は、天板３０を使用状態としたときに、天板３０の後端部３０ｂの下側からほぼ鉛直下方に延びるように配置される（図２において実線で示す状態）。この使用状態から、天板３０の前端部３０ａ側を上方に跳ね上げると、天板３０がシャフト３２回りに回動するにともなって天板３０と一体に回動するサポートアーム３５に連動し、幕板１５が下方かつ前方に移動する。これにともなって、リンクプレート１８は、スリット（図示無し）に沿って下方にスライドする。これによって、幕板１５は、支柱部２３の後方に沿う位置に移動する（図２において二点鎖線で示す状態）。
【００２７】
ベース部２１は、支柱部２３の下端に一体に設けられ、床面Ｆに沿って前後方向に延びるベースフレーム２４と、ベースフレーム２４を覆うカバー２５と、を備えている。ベース部２１の上面２１ｕ（カバー２５の上面）は、後端部（第二接地部）２１ｒに対して前端部（第一接地部）２１ｆ側が漸次低くなるよう、傾斜して形成されている。
【００２８】
ベースフレーム２４の前端部２４ｆおよび後端部２４ｒには、床面Ｆ上で回転自在なキャスター（第一キャスター部材）２６、キャスター（第二キャスター部材）２７が設けられている。さらに、キャスター２６、２７は、ベースフレーム２４に対し、鉛直軸回りに回動自在に設けられている。これらのキャスター２６、２７により、テーブル装置１０は、床面Ｆ上で、任意の方向に容易に走行移動可能とされている。
【００２９】
また、ベースフレーム２４の前端部２４ｆおよび後端部２４ｒには、キャスター２６、２７によるテーブル装置１０の移動の拘束、および前記拘束の解除が可能なストッパ機構５０が設けられている。
【００３０】
ストッパ機構５０は、前部ストッパ部材（固定接地部材）５１と、後部ストッパ部材（可動接地部材）５２と、付勢部材５３と、駆動機構６０と、を備えている。
【００３１】
前部ストッパ部材５１は、ベースフレーム２４の前端部２４ｆにおいて、キャスター２６よりも前方（外方）に設けられている。前部ストッパ部材５１は、その下面が平面状の接地面５１ｓとされている。接地面５１ｓは、キャスター２６よりも下方に突出するように設けられている。
【００３２】
図４、図５に示すように、後部ストッパ部材５２は、ベースフレーム２４の後端部２４ｒに配置されたスイング部材５５の下面に設けられている。スイング部材５５は、天板３０の幅方向に間隔を空けて対向配置された一対の側板５５ａ，５５ａと、スイング部材５５の後端部５５ｒにおいて側板５５ａ，５５ａの下端部同士を連結する底板５５ｂと、を有している。スイング部材５５は、側板５５ａ，５５ａが、キャスター２７よりも後方まで延び、底板５５ｂがキャスター２７の後方に配置されている。スイング部材５５の前端部（一端部）５５ｆは、両端部が支持脚２０のカバー２５等に固定された第一支持軸５６回りに回動自在とされている。第一支持軸５６は水平方向（天板３０の幅方向）に沿って延び、キャスター２７よりも前方に設けられている。これにより、側板５５ａは、第一支持軸５６回りに鉛直面内で揺動自在となっている。
【００３３】
また、スイング部材５５の後端部５５ｒにおいて、一対の側板５５ａ，５５ａには、天板３０の前後方向に連続するガイド溝５７がそれぞれ形成されている。
【００３４】
後部ストッパ部材５２は、スイング部材５５の底板５５ｂの下面に一体に設けられている。後部ストッパ部材５２は、ベースフレーム２４の後端部２４ｒにおいて、キャスター２７よりも後方（外方）に配置されている。
【００３５】
付勢部材５３は、コイルスプリング等からなり、スイング部材５５の底板５５ｂと、ベースフレーム２４の後端部２４ｒに一体に設けられたホルダ部材５８との間に、スイング部材５５を下方に向かって付勢するように設けられている。
【００３６】
スイング部材５５の側板５５ａ，５５ａにおける天板３０の幅方向中央部には、連係部材６１が配置されている。連係部材６１は、両端部が支持脚２０のカバー２５等に固定された第二支持軸６１ｓ回りに回動自在とされている。第二支持軸６１ｓは水平方向（天板３０の幅方向）に沿って延び、キャスター２７よりも後方において連係部材６１の上端部に設けられている。第二支持軸６１ｓは、第一支持軸５６よりも上方に配置されている。これにより、連係部材６１は、第二支持軸６１ｓ回りに鉛直面内で揺動自在となっている。この連係部材６１は、図示しない捩りコイルバネによって、スイング部材５５を下方へ回動させる方向に付勢されている。連係部材６１の下端部には、天板３０の幅方向両側にそれぞれ突出するスライド軸６１ｔが一体に形成されている。各スライド軸６１ｔは、連係部材６１が第二支持軸６１ｓ回りに揺動したときに、スイング部材５５に形成されたガイド溝５７に沿ってスライド移動する。
本実施形態では、スイング部材５５と、ガイド溝５７と、連係部材６１とが、駆動機構６０を構成している。
【００３７】
図６は、上記駆動機構に形成されたガイド溝と連係部材に設けられたスライド軸との位置関係を示す図である。
図６に示すように、ガイド溝５７は、連係部材６１の第二支持軸６１ｓの鉛直下方となる位置Ｐ１を含む領域に形成されている。すなわち、ガイド溝５７は、連係部材６１の第二支持軸６１ｓの鉛直下方となる位置Ｐ１が、ガイド溝５７の前方の端部５７ａと後方の端部５７ｂとの間に位置するよう形成されている。ここで、第二支持軸６１ｓの鉛直下方となる位置Ｐ１は、ガイド溝５７の前方の端部５７ａと後方の端部５７ｂとの中心に対し後方にオフセットしている。これにより、ガイド溝５７の後方の端部５７ｂは、第二支持軸６１ｓの鉛直下方となる位置Ｐ１よりも僅かに後方に位置するよう形成されている。
【００３８】
図４に示すように、このような連係部材６１が揺動し、スライド軸６１ｔが前方に移動すると、スイング部材５５は、付勢部材５３による付勢力に抗して、後端部５５ｒが上方に向うように揺動する。これによって付勢部材５３が縮まり、後部ストッパ部材５２が上方に引き上げられる（図４中に二点鎖線で示す状態）。スライド軸６１ｔがガイド溝５７の前方の端部５７ａに突き当たった状態では、後部ストッパ部材５２が、キャスター２７の下端よりも上方に位置するようになっている。すなわち、連係部材６１の揺動によってスイング部材５５を揺動させて後部ストッパ部材５２を引き上げると、後部ストッパ部材５２に代わってキャスター２７が床面Ｆに接地する。
【００３９】
また、スライド軸６１ｔが位置Ｐ１から後方に移動し、ガイド溝５７の後方の端部５７ｂに突き当たった状態では、後部ストッパ部材５２が、キャスター２７よりも下方に突出するようになっている。この状態で、ガイド溝５７の後方の端部５７ｂは、連係部材６１の第二支持軸６１ｓの鉛直下方となる位置Ｐ１よりも後方に位置しているので、この端部５７ｂに突き当たったスライド軸６１ｔは、第二支持軸６１ｓを中心としたスライド軸６１ｔの旋回軌跡の最下端位置（位置Ｐ１）から後方にオフセットして位置している。換言すると、連係部材６１は、上端部から下端部に向かうにしたがった次第に後方に向かうように傾斜している。したがって、テーブル装置１０の自重により連係部材６１に生じる力Ｍの水平方向の分力Ｍｈによって、スライド軸６１ｔがガイド溝５７の後方の端部５７ｂ側に押圧される。
【００４０】
図２に示すように、上記のような駆動機構６０の連係部材６１を操作する操作部として、ケーブル６２と、第一ケーブル操作部材６３と、第二ケーブル操作部６４と、を備えている。
【００４１】
ケーブル６２は、支持脚２０の支柱部２３の内部に設けられた筒状のガイドスリーブ６５に挿通されている。図４に示すように、ガイドスリーブ６５の下端部６５ａは、ベースフレーム２４に形成されたスリーブ保持部２４ｓに突き当たることより、下方への移動が規制された状態で保持されている。スリーブ保持部２４ｓには、ガイドスリーブ６５の下端部６５ａから下方に導出されるケーブル６２を挿通させる挿通孔２４ｈが形成されている。挿通孔２４ｈに挿通されたケーブル６２は、ホルダ部材５８に形成された湾曲面５８ｆに沿って湾曲している。ケーブル６２の下端部６２ａに設けられた円柱状の下端タイコ６２Ｐが、連係部材６１に設けられたケーブル係止部６１ｃに係止されている。
【００４２】
支柱部２３には、上方からケーブルガイド６６（図２参照）が挿入されている。
図７は、支持脚の上部に設けられたケーブルガイドの斜視図である。
図７に示すように、ケーブルガイド６６は、その前側面６６ａに、上下方向に連続し、ガイドスリーブ６５（図２参照）が挿入されるガイド溝６６ｍが形成されている。ガイド溝６６ｍには、その下部に前側面６６ａ側に膨出する膨出部６６ｂが形成されている。これにより、ガイド溝６６ｍ内に挿入配置されたガイドスリーブ６５は、膨出部６６ｂに沿う部分が前側面６６ａ側に凸となるように湾曲する。
【００４３】
図３に示すように、ガイドスリーブ６５の上端部６５ｂは、ケーブルガイド６６の上端部に形成された上部スリーブ保持部６６ｓに突き当たることにより、その上方への移動が規制された状態で保持されている。
【００４４】
上部スリーブ保持部６６ｓには、ガイドスリーブ６５の上端部６５ｂから上方に導出されたケーブル６２が挿通される挿通孔６６ｈが形成されている。挿通孔６６ｈに挿通されたケーブル６２は、天板３０の下面に固定されたケーブル支持部材３８を経て、天板３０の下面に沿って前方へと案内される。
【００４５】
図８は、支持脚の上方にもうけられたケーブル支持部材を斜め下方から見た図である。
図８に示すように、ケーブル支持部材３８は、天板３０（図２参照）の下面に固定されるベース部３８ａと、ベース部３８ａに対して下方に凹み、前後方向に連続して形成された案内溝３８ｂと、ベース部３８ａから下方に向かって膨出した膨出部３８ｃと、を備えている。膨出部３８ｃには、案内溝３８ｂの後方に連続して形成され、挿通孔６６ｈから上方に延びるケーブル６２が後方から挿入されるケーブル挿入スリット３８ｆが形成されている。
図３、図８に示すように、ケーブル挿入スリット３８ｆの下端部は、ケーブル６２の下端部６２ａと上端部６２ｂとの間の中間部の所定位置に設けられた中間タイコ６２Ｒよりもスリット幅が狭く形成された中間ケーブル係止部３８ｇとされている。中間ケーブル係止部３８ｇに中間タイコ６２Ｒが突き当たることにより、中間ケーブル係止部３８ｇに対するケーブル６２の下方への相対的な変位が拘束される。
【００４６】
第一ケーブル操作部材６３は、天板３０の前端部３０ａの下面に設けられている。
図９は、第一ケーブル操作部材の構成を示す平面図である。
図３、図９に示すように、第一ケーブル操作部材６３は、天板３０の下面に直交する軸回りに回動自在に支持された基部６３ａと、基部６３ａから外周側に延出するレバー部６３ｂと、を一体に備えている。基部６３ａには、ケーブル６２の上端部６２ｂに設けられた上端タイコ６２Ｑが係止されている。
【００４７】
図１０は、使用状態において前部ストッパ部材と後部ストッパ部材とが接地した状態を示す模式図である。図１１は、後部ストッパ部材を床面から離間させ、前後のキャスターが接地した状態を示す模式図である。
上記したようなストッパ機構５０によれば、天板３０の上面３０ｆが水平面内に位置する使用状態においては、図１０に示すように、前部ストッパ部材５１と後部ストッパ部材５２とが床面Ｆに接地し、前後のキャスター２６、２７は、床面Ｆから上方に浮いている。これにより、テーブル装置１０の全自重が、二本一対の支持脚２０にそれぞれ設けられた前部ストッパ部材５１および後部ストッパ部材５２に作用し、テーブル装置１０の床面Ｆ上での移動を拘束する。
【００４８】
この状態で、後方のキャスター２７と床面Ｆとの隙間Ｓｒが、前方のキャスター２６と床面Ｆとの隙間Ｓｆよりも大である。
また、前部ストッパ部材５１と後部ストッパ部材５２とを床面Ｆに接地させた状態では、前部ストッパ部材５１の接地面５１ｓと後部ストッパ部材５２の接地面５２ｓとがそれぞれ床面Ｆに平行となるよう形成されている。これにより、前部ストッパ部材５１と後部ストッパ部材５２とが床面Ｆに接地させた状態では、前部ストッパ部材５１の接地面５１ｓと後部ストッパ部材５２の接地面５２ｓとが床面Ｆに対して面接触する。
【００４９】
図４に示すように、この使用状態では、ケーブル６２は上方への引張力が作用しておらず、スイング部材５５は、付勢部材５３の付勢力によって下方に付勢され、連係部材６１は、スライド軸６１ｔがガイド溝５７の後方の端部５７ｂに突き当たっている。この状態で、スライド軸６１ｔは、第二支持軸６１ｓを中心としたスライド軸６１ｔの旋回軌跡の最下端位置（位置Ｐ１）から後方にオフセットしている。これにより、スライド軸６１ｔがガイド溝５７の後方の端部５７ｂ側に押圧され、連係部材６１が不用意に前方に回転しにくく、後部ストッパ部材５２が床面Ｆに接地した状態を強固に維持する。
【００５０】
テーブル装置１０を移動させるため、前部ストッパ部材５１および後部ストッパ部材５２による拘束を解除するには、まずロックレバー３４のロックを解除し、天板３０の前端部３０ａを上方に引き上げる。すると、天板３０がシャフト３２回りに回動する。これによって、天板３０の下面に設けられたケーブル支持部材３８が天板３０とともに上方に移動し、第二ケーブル操作部６４の中間ケーブル係止部３８ｇがケーブル６２の中間タイコ６２Ｒに突き当たり、ケーブル６２を上方に向かって引き上げる。ケーブル６２が上方に引き上げられると、ケーブル６２の下端タイコ６２Ｐが、捩りコイルバネ（図示無し）の付勢力に抗して連係部材６１を前方に変位する。すると、スライド軸６１ｔがスイング部材５５のガイド溝５７に沿って前方の端部５７ａ側に移動し、スイング部材５５は後端部５５ｒが上方に向かうように揺動する。これによって、後部ストッパ部材５２が上方に引き上げられる。スライド軸６１ｔがガイド溝５７の前方の端部５７ａに突き当たると、図１１に示すように、後部ストッパ部材５２がキャスター２７の下端よりも上方に位置し、後部ストッパ部材５２に代わってキャスター２７が床面Ｆに接地する。
キャスター２７が接地した状態にあっては、図３に示すように、ロックピン３３ｑがロックレバー３４の係合凹部３４ｕに係合することによって、天板３０が、前端部３０ａ側が上方に跳ね上げられた不使用状態（図２、図３において二点鎖線で示す状態）にロックされるので、このロックを解除しない限り、ケーブル６２が初期位置へ戻ることがない。
【００５１】
図１１に示すように、このようにして、支持脚２０において、後方のキャスター２７が接地すると、ベースフレーム２４は、前端部２４ｆに対して後端部２４ｒが下方に変位するように傾動する。すると、前方のキャスター２６が床面Ｆに接地し、前部ストッパ部材５１が床面Ｆから上方に持ち上がる。これにより、二本一対の支持脚２０においては、前後のキャスター２６、２７のみが床面Ｆに接地し、テーブル装置１０は拘束が解除されて床面Ｆ上で走行移動自在となる。
ここで、上記のようにベース部２１が前端部２１ｆの下端部２２ｆに対して後端部２１ｒの下端部２２ｒが低くなるように傾動した状態では、前方のキャスター２６が床面Ｆに接地するまでの間、前部ストッパ部材５１の接地面５１ｓは、ベース部２１の後端部２１ｒに近い側の端部５１ｔのみが床面Ｆに接地している。
【００５２】
また、前部ストッパ部材５１および後部ストッパ部材５２による拘束を解除するには、天板３０の上面３０ｆを水平としたまま、第一ケーブル操作部材６３のレバー部６３ｂを
操作し、第一ケーブル操作部材６３を回動させることもできる。すると、第一ケーブル操作部材６３の基部６３ａに係止されたケーブル６２の上端タイコ６２Ｑが前方に引っ張られ、支柱部２３内のケーブル６２が上方に向かって引き上げられる。これにより、ケーブル６２の下端タイコ６２Ｐが連係部材６１の下端部を前方に変位させ、スイング部材５５が、後端部５５ｒが上方に向かうように揺動し、後部ストッパ部材５２が上方に引き上げられる。
このような第一ケーブル操作部材６３のレバー操作によっても、図１１に示すように、二本一対の支持脚２０においては、前後のキャスター２６、２７のみが床面Ｆに接地し、テーブル装置１０は拘束が解除されて床面Ｆ上で走行移動自在となる。
【００５３】
上述したように、テーブル装置１０は、物品を載置可能な上面３０ｆを有した天板３０と、天板３０を支持し、床面Ｆに沿って延びるベース部２１を有した支持脚２０と、ベース部２１の前端部２１ｆに設けられたキャスター２６と、ベース部２１の後端部２１ｒに設けられたキャスター２７と、ベース部２１の前端部２１ｆに固定され、キャスター２６よりも下方に突出して床面Ｆに接地する前部ストッパ部材５１と、ベース部２１の後端部２１ｒに設けられ、キャスター２７に対して下方に向けて出没可能に設けられ、キャスター２７より下方に突出した状態で床面Ｆに接地可能な後部ストッパ部材５２と、後部ストッパ部材５２を床面Ｆに接地させた状態と離間させた状態とに進退させる駆動機構６０と、を備える。さらに、テーブル装置１０は、後部ストッパ部材５２を床面Ｆから離間させるようにキャスター２７よりも上方に退避させることによって、ベース部２１が前端部２１ｆに対して後端部２１ｒが低くなるように傾動し、キャスター２６，２７が床面Ｆに接地するとともに、前部ストッパ部材５１が床面Ｆから上方に離間する。
【００５４】
このような構成によれば、テーブル装置１０の使用状態では、後部ストッパ部材５２をキャスター２７より下方に突出させて床面Ｆに接地させる。これにより、前部ストッパ部材５１と後部ストッパ部材５２とが床面Ｆに接地し、キャスター２６とキャスター２７とが床面Ｆから上方に離間する。これにより、大きな制動力を得ることができる。
この状態から、後部ストッパ部材５２をキャスター２７よりも上方に退避させると、キャスター２７が床面Ｆに接地するとともに、ベース部２１材が前端部２１ｆに対して後端部２１ｒが低くなるように傾動することによって、前部ストッパ部材５１が床面Ｆから上方に離間してキャスター２６が床面Ｆに接地する。これにより、キャスター２６とキャスター２７とが床面Ｆに接地し、テーブル装置１０が床面Ｆ上で走行移動自在となる。
後部ストッパ部材５２を作動させるときには、前部ストッパ部材５１が接地したままであり、前部ストッパ部材５１にテーブル装置１０の荷重を支持させつつ、後部ストッパ部材５２を上方に退避させればよいため、操作に要する力は少なくて済む。
さらに、このような構成によれば、駆動機構６０を多数のリンク材で構成する場合に比較し、部品点数が少なくて済む。また、上記のように大きな制動力を有するため、２個の接地部材のうち一方の接地部材（後部ストッパ部材５２）を可動する構成とすればよい。よって、駆動機構６０を１個設ければよいため、部品点数をさらに抑えることができる。
【００５５】
したがって、テーブル装置１０によれば、使用状態においてはテーブル装置１０が移動しないように大きな制動力を発揮しつつ、移動させる際には移動の拘束を容易に解除するとともに、コスト上昇および重量増を抑えることが可能となる。
【００５６】
また、前部ストッパ部材５１と後部ストッパ部材５２とを床面Ｆに接地させた状態で、キャスター２７と床面Ｆとの隙間Ｓｒが、キャスター２６と床面Ｆとの隙間Ｓｆよりも大きい。
このような構成によれば、後部ストッパ部材５２をキャスター２７よりも上方に退避させ、キャスター２７を床面Ｆに接地させたときに、確実に、前部ストッパ部材５１を床面Ｆから上方に離間させてキャスター２６を床面Ｆに接地させることができる。
【００５７】
また、後部ストッパ部材５２はスイング部材５５に装着され、前部ストッパ部材５１と後部ストッパ部材５２とを床面Ｆに接地させた状態で、前部ストッパ部材５１の接地面５１ｓと後部ストッパ部材５２の接地面５２ｓとがそれぞれ床面Ｆに平行となるよう形成されている。
このような構成によれば、テーブル装置１０の使用状態において、前部ストッパ部材５１と後部ストッパ部材５２とを床面Ｆに接地させた使用状態では、前部ストッパ部材５１の接地面５１ｓと後部ストッパ部材５２の接地面５２ｓとが床面Ｆに対して面接触し、大きな制動力を得ることができる。
一方、後部ストッパ部材５２をキャスター２７よりも上方に退避させることによって、ベース部２１が前端部２１ｆに対して後端部２１ｒが低くなるように傾動すると、前部ストッパ部材５１の接地面５１ｓは、ベース部２１の後端部２１ｒに近い側の端部５１ｔのみが床面Ｆに接地する。これにより、前部ストッパ部材５１の床面Ｆに対する接触面積が小さくなるので、前部ストッパ部材５１と床面Ｆとの間に生じる摩擦力、すなわちキャスター２６が接地するまでの間に生じる抵抗力が小さくなり、操作に必要な力が少なくて済む。
【００５８】
また、前部ストッパ部材５１および後部ストッパ部材５２は、キャスター２６およびキャスター２７に対し、ベース部２１の外方に配置されている。
このような構成によれば、前部ストッパ部材５１と後部ストッパ部材５２とが接地した状態における安定度を高めることができる。
【００５９】
また、前部ストッパ部材５１およびキャスター２６は、ベース部２１の一端側に設けられ、後部ストッパ部材５２およびキャスター２７がベース部２１の他端側に設けられている。
このような構成によれば、前部ストッパ部材５１、後部ストッパ部材５２、キャスター２６、キャスター２７が共通のベース部２１に設けられるので、各部材の設置角度、設置間隔等に誤差が生じにくく、容易に高精度に組み立てることができる。
【００６０】
また、ベース部２１の上面２１ｕは、後端部２１ｒに対して前端部２１ｆが低くなるよう形成されている。このような構成によれば、テーブル装置１０の利用者の足がベース部２１に干渉しにくくなる。
【００６１】
（その他の実施形態）
なお、本発明の天板付什器は、図面を参照して説明した上述の各実施形態に限定されるものではなく、その技術的範囲において様々な変形例が考えられる。
例えば、上記実施形態では、テーブル装置１０を例に挙げたが、天板を備える天板付什器であれば、他のいかなる什器であってもよい。
また、上記実施形態では、ベース部２１の後方にのみ揺動可能な後部ストッパ部材５２を設けたが、これに限るものではなく、前方のみに揺動可能な接地部材を備えるようにしてもよい。
また、後部ストッパ部材５２を動作させる駆動機構６０については、上記に示した構成に限らず、他のいかなる構成であってもよい。
【００６２】
さらに、上記実施形態では、前部ストッパ部材５１および後部ストッパ部材５２、キャスター２６およびキャスター２７を、ベース部２１の一端側と他端側に設けるようにしたが、これに限らず、ベース部２１を備えない構成とすることもできる。この場合、床面に沿った方向において互いに離間する支持脚の一方に、第一接地部としての前部ストッパ部材５１およびキャスター２６を設け、他方に、第二接地部としての後部ストッパ部材５２およびキャスター２７を設けるようにしてもよい。この場合、一方および他方の支持脚は、それぞれ床面に直交していてもよいし、一方の支持脚に対し、他方の支持脚が傾斜していても、双方の支持脚が例えば側面視「人」字状に傾斜していてもよい。
【００６３】
これ以外にも、本発明の主旨を逸脱しない限り、上記実施の形態で挙げた構成を取捨選択したり、他の構成に適宜変更したりすることが可能である。
【符号の説明】
【００６４】
１０  テーブル装置（天板付什器）
２０  支持脚
２１  ベース部
２１ｆ  前端部（第一接地部）
２１ｒ  後端部（第二接地部）
２１ｕ  上面
２６  キャスター（第一キャスター部材）
２７  キャスター（第二キャスター部材）
３０  天板
３０ｆ  上面
５１  前部ストッパ部材（固定接地部材）
５１ｓ  接地面
５２  後部ストッパ部材（可動接地部材）
５２ｓ  接地面
５５  スイング部材
５６  第一支持軸
６０  駆動機構
Ｆ  床面
【図１】
0006601659.tif 000002
【図２】
0006601659.tif 000003
【図３】
0006601659.tif 000004
【図４】
0006601659.tif 000005
【図５】
0006601659.tif 000006
【図６】
0006601659.tif 000007
【図７】
0006601659.tif 000008
【図８】
0006601659.tif 000009
【図９】
0006601659.tif 000010
【図１０】
0006601659.tif 000011
【図１１】
0006601659.tif 000012